(57)【特許請求の範囲】
【請求項１】
装置本体１の薬剤保持体設置部７に、揮散性薬剤を有する薬剤保持体３を取付け、この装置本体１に内蔵した送風機４を駆動することで、前記薬剤保持体３に空気が流通し、その揮散性薬剤が気中に放出されるようにした薬剤放散装置であって、
前記装置本体１は、前記薬剤保持体設置部７とは別に、前記薬剤保持体３を収納すると共に、その薬剤保持体３が収納用開口部５から挿入、引き出し可能な薬剤保持体収納部６を有し、
この収納用開口部５に着脱自在で、その収納用開口部５に取付けると収納用開口部５を閉塞して前記薬剤保持体収納部６を密閉して密閉空間８を形成する蓋体２を備え、
前記薬剤保持体３は、前記密閉空間８内に収納可能であることを特徴とする薬剤拡散装置。
【請求項２】
蓋体２と薬剤保持体３が連結されている請求項１記載の薬剤拡散装置。
【発明の詳細な説明】
【０００１】
【発明の属する技術分野】
本発明は、送風機を用いて揮散性薬剤を気中に放出する薬剤拡散装置に関し、さらに詳しくは、運搬、保管、店頭陳列などの商品流通時及び、一度使用した後に使用を中止した休止時に揮散性薬剤が自然に気中に放出することを防止できる薬剤拡散装置に関する。
【０００２】
【従来の技術】
吸い込み口と吐き出し口を有する装置本体と、この装置本体内に設けた送風機と、前記吸い込み口又は吐き出し口に揮散性薬剤を有する薬剤保持体を備え、送風機を駆動することで薬剤保持体に送風して揮散性薬剤を吐き出し口から気中に放出する薬剤拡散装置が知られている。
【０００３】
前述した従来の薬剤拡散装置は、装置本体に設けた薬剤保持体は吸い込み口、吐き出し口で気中に連通しているので、送風機を停止した状態でも薬剤保持体の揮散性薬剤が自然に気中に放出されてしまう。
このため従来は、工場などの製造現場において薬剤保持体を装置本体とは別に袋などに入れて密封状態に包装し、装置本体とともに箱に入れ、その状態で製造現場から販売店まで運搬したり、倉庫などに保管したり、店頭陳列することで、前述した商品流通時に薬剤保持体の揮散性薬剤が自然に気中に放出されることを防止している。
【０００４】
【発明が解決しようとする課題】
前述のようにして商品流通時に揮散性薬剤が自然に気中に放出されることを防止すると、薬剤保持体を包装する袋が必要で、その袋のコストだけ薬剤拡散装置が高価となってしまう。
また、薬剤拡散装置を使用する時には袋をやぶいて薬剤保持体を取り出し、その薬剤保持体を装置本体にセットするので、使用者が使用可能状態とすることが面倒である。
しかも、そのやぶいた袋は家庭内発生廃棄物（つまり、ゴミ）となり、家庭内発生廃棄物が多くなる。
【０００５】
前述のように薬剤保持体を装置本体にセットし、送風機を駆動して使用している際に、送風機を停止して使用を中止した休止時には薬剤保持体が吸い込み口、吐き出し口から気中に連通するので、揮散性薬剤が自然に気中に放出されることを防止できない。
このために、休止期間中に薬剤保持体から揮散性薬剤が順次気中に放出されて減少し、無駄である。
【０００６】
本発明は前述の課題に鑑みなされたものであり、その目的は、商品流通時に揮散性薬剤が自然に気中に放出されることがないこと、そのために部品点数が多くならずに低価格であること、使用者が簡単に使用可能状態にできると共に、家庭内発生廃棄物を減少できること、休止時にも揮散性薬剤が自然に気中に放出されることがなく、長期間休止した場合でも再度使用が可能で、揮散性薬剤が無駄にならないこと、を満足できるようにした薬剤拡散装置を提供することである。
【０００７】
【課題を解決するための手段】
第１の発明は、装置本体１の薬剤保持体設置部７に、揮散性薬剤を有する薬剤保持体３を取付け、この装置本体１に内蔵した送風機４を駆動することで、前記薬剤保持体３に空気が流通し、その揮散性薬剤が気中に放出されるようにした薬剤放散装置であって、
前記装置本体１は、前記薬剤保持体設置部７とは別に、前記薬剤保持体３を収納すると共に、その薬剤保持体３が収納用開口部５から挿入、引き出し可能な薬剤保持体収納部６を有し、
この収納用開口部５に着脱自在で、その収納用開口部５に取付けると収納用開口部５を閉塞して前記薬剤保持体収納部６を密閉して密閉空間８を形成する蓋体２を備え、
前記薬剤保持体３は、前記密閉空間８内に収納可能であることを特徴とする薬剤拡散装置である。
【０００８】
第２の発明は、第１の発明において蓋体２と薬剤保持体３が連結されている薬剤拡散装置である。
【０００９】
【作  用】
第１の発明によれば、薬剤保持体収納部６に薬剤保持体３を収納して収納用開口部５に蓋体２を取付けることで、その薬剤保持体３は密閉空間８内に収納された状態となる。
よって、商品流通時に揮散性薬剤が自然に気中に放出されることがない。
【００１０】
また、使用時には蓋体２を収納用開口部５から外し、薬剤保持体３を薬剤保持体収納部６から取り出し、その薬剤保持体３を薬剤保持体設置部７に取付けて送風機４を駆動することで薬剤保持体３に空気が流通し、揮散性薬剤を気中に放出できる。
よって、使用時に不用となる部品がなく、部品点数が多くならずに低価格である。
また、蓋体２を外し、薬剤保持体３を取り出し、取付けすれば良く、使用者が簡単に使用可能状態とすることができる。
しかも、家庭内廃棄物が生じないから、家庭内発生廃棄物を減少できる。
【００１１】
使用の途中で中止する場合には、薬剤保持体３を薬剤保持体設置部７から外し、その薬剤保持体３を薬剤保持体収納部６に収納して蓋体２を取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００１２】
第２の発明によれば、蓋体２とともに薬剤保持体３を収納したり、取り出しでき、使用者が使用可能状態としたり、使用の途中で休止する場合の操作がより一層容易である。
【００１３】
【発明の実施の形態】
本発明の第１の実施の形態を図１〜図３に基づいて説明する。
装置本体１と蓋体２と薬剤保持体３と送風機４で薬剤拡散装置を構成している。
前記送風機４は装置本体１に内蔵されている。
前記装置本体１は送風機４を駆動すると空気が流通する空気流通路と、収納用開口部５を有する薬剤保持体収納部６と、前記空気流通路に設けられた薬剤保持体設置部７を備えている。
前記蓋体２は収納用開口部５に着脱自在で、その収納用開口部５に蓋体２を取付けると収納用開口部５を閉塞して薬剤保持体収納部６を密閉して密閉空間８を形成する。
前記薬剤保持体３は揮散性薬剤を有し、収納用開口部５から前記薬剤保持体収納部６に挿入・引き出し自在に収納されると共に、前記薬剤保持体設置部７に着脱自在に取付けられる。
【００１４】
このようであるから、商品流通時には、図１に実線で示すように薬剤保持体収納部６に薬剤保持体３を収納し、収納用開口部５に蓋体２を取付けることで、その薬剤保持体収納部６が密閉されて密閉空間８を形成する。
よって、薬剤保持体３は密閉空間８内に収納されるので、その薬剤保持体３の揮散性薬剤が自然に気中に放出されることがない。
【００１５】
使用時には、蓋体２を外し、収納用開口部５から薬剤保持体３を引き出し、その薬剤保持体３を薬剤保持体設置部７に設置する。
この状態で送風機４を駆動することで薬剤保持体３に空気が流通し、その揮散性薬剤が空気流路を経て気中に放出される。
【００１６】
前述のようにして使用している途中で送風機４を停止して使用を中止し休止する場合には、薬剤保持体３を薬剤保持体設置部７から外し、その薬剤保持体３を薬剤保持体収納部６に収納すると共に、蓋体２を収納用開口部５に取付けて薬剤保持体収納部６を密閉することで、薬剤保持体３が密閉空間８に収納されるので、長期休止する場合でも揮散性薬剤が自然に気中に放出されることがなく、揮散性薬剤が無駄にならない。
【００１７】
次に各部材の形態を説明する。
前記装置本体１は断面ほぼ下向きＵ字形状の外殻板１０と、この外殻板１０に固着した一側縦板１１、他側縦板１２と、その一側縦板１１、他側縦板１２、外殻板１０に亘って固着した下面板１３、中間横板１４と、この中間横板１４と外殻板１０の内面に亘って固着した一側中間縦板１５、他側中間縦板１６で送風機用室１ａと電池収納室１ｂと一側空洞部１ｃと他側空洞部１ｄを有する形状で、この送風機用室１ａにファン４ａと電動モータ４ｂを有する送風機４が取付けてあると共に、電池収納室１ｂに電池１７が収納され、この電池１７を電源として電動モータ４ｂが駆動される。
前記外殻板１０に切欠開口部１８が一側空洞部１ｃに開口して形成され、その一側空洞部１ｃが前記薬剤保持体収納部６を形成すると共に、切欠開口部１８が前記収納用開口部５を形成する。
【００１８】
前記他側縦板１２に他側空洞部１ｄに開口した第１通気口１９が形成され、他側中間縦板１６に送風機用室１ａと他側空洞部１ｄを連通する第２通気口２０が形成され、外殻板１０に送風機用室１ａに開口した第３通気口２１が形成してある。
この第１通気口１９と第２通気口２０と第３通気口２１で前記空気流通路を形成している。
この実施の形態ではファン４ａがシロッコファンで、ファン４ａが駆動すると第１通気口１９を通して第２通気口２０から空気を吸い込み、第３通気口２１から吐き出しされる。
なお、第３通気口２１から空気を吸い込み、第１通気口１９から吐き出すようにしても良い。例えば、ファン４ａを軸流ファンとする。
【００１９】
前記外殻板１０には設置用開口部２２が他側空洞部１ｄに開口して形成され、その他側空洞部１ｄが前記薬剤保持体設置部７を形成している。この設置用開口部２２は前記収納用開口部５と同一形状、大きさである。
【００２０】
前記蓋体２は、前記収納用開口部５に嵌合する形状で、この実施の形態では下部が収納用開口部５よりも小さく、上部が収納用開口部５よりも大きく、その蓋体２の収納用開口部５に接する外面２ａが斜面となったくさび形状で、収納用開口部５に押し込むことで外面２ａが収納用開口部５に密着する。
【００２１】
前記薬剤保持体３は通気性を有する容器３０内に揮散性薬剤を含浸した担持体３１を所定量収納した形態で、その容器３０は収納用開口部５、設置用開口部２２よりも小さく、各開口部から容器３０を挿入して薬剤保持体収納部６内に収納されると共に、薬剤保持体設置部７に取付けられる。
例えば、容器３０の両側面３０ａに通気孔３２が形成されている。
【００２２】
この実施の形態では容器３０に蓋体２が一体的に設けてあり、その蓋体２を持って容器３０とともに各開口部に挿入、引き抜きできるようにしてある。
これにより、蓋体２の取付け、取外しと薬剤保持体３の収納・取り外しが同時にできる。
なお、容器３０と蓋体２を別体としても良いし、容器３０と蓋体２を別体とすると共に、連結杆、連結紐などの連結部材で連結しても良い。
【００２３】
前記装置本体１、好ましくは収納用開口部５の開口縁部分を容器３０よりも軟質材として若干圧縮弾性変形するようにしたり、収納用開口部５の開口縁部分又は蓋体２の外面２ａに気密材を設けることで、蓋体２が収納用開口部５に確実に密着するようにしても良い。
前記設置用開口部２２も同様である。
【００２４】
次に、本発明の第２の実施の形態を図４に基づいて説明する。
この実施の形態は薬剤保持体設置部７の形態が前述の第１の実施の形態と異なり、他の形態は同様である。
図４に示すように、装置本体１は第１の実施の形態における外殻板１０、他側縦板１２の上部寄りを切欠きした形状で、外殻板１０の下部寄りと他側縦板１２の下部寄りと他側中間縦板１６で上方に開口した凹陥部２３を形成し、この凹陥部２３に薬剤保持体３、例えば容器３０の下部寄り部分が嵌合して取付けられる形態で、その凹陥部２３が薬剤保持体設置部７を形成する。
この場合には、蓋体２の外面２ａにおける一つの面が他側中間縦板１６に隙間なく接し、その接触部分に空気が流通しないようにすることが望ましい。
【００２５】
本発明の薬剤拡散装置に係る装置本体１の形状は、限定されず自由に企画及び設計することができる。また、それらの製作についても、既存の合成樹脂など材料を用い、従来の成形方法などにより行われる。
装置本体１の第１通気口１９、第２通気口２０、第３通気口２１の形状、大きさ、形成位置なども任意に設定できる。また、装置本体１には、送風機４、送風機４と電池収納室の他に、スイッチ、ランプ、タイマーなどを装備することができる。
【００２６】
また、前記薬剤保持体設置部７と薬剤保持体３は、係止、嵌め込み、回転止め、ネジ止めなどで着脱自在としても良い。
【００２７】
本発明の薬剤保持体３に用いる揮散性薬剤としては、常温、送風などの条件で揮散する殺虫剤、忌避剤、害虫成長制御剤、芳香消臭剤、消臭剤、防カビ剤、防菌剤などが挙げられる。
【００２８】
本発明の薬剤保持体３は、前記揮散性薬剤を含有する担持体（粉剤、粒剤など）や担持体の成形体（ネット、シート、プレート、多孔体、繊維体、綿体、スポンジ体など）、またはそれらの収納体（通気性容器、通気性袋など）である。また、薬剤保持体は、その形態、材質を任意に設定することができる。簡単な構造で、通気性の大きいものが好ましい。
例えば、通気孔を有する容器形状、網形状、ハニカム形状、すのこ形状、格子形状、開孔形状などの構造が挙げられる。材質は、例えば、紙、合成樹脂、セラミック、繊維などの公知のものが使用できる。
【００２９】
具体的には、図５に示すように所定の厚さを有するネット状体３３に担持体３１を付着して保持することで薬剤保持体３とする。
前記ネット状体３３の上縁部に蓋体２を取付けても良い。
この場合には装置本体１の外殻板１０をほぼ下向きコ字形状とし、蓋体２を直線形状としてある。
【００３０】
本発明に用いる送風機４のファンとしては、軸流ファン、プロペラファンなど任意のファンを用いることができるが、送風音や消費電力の面からシロッコファンが好ましい。
【００３１】
【発明の効果】
請求項１に係る発明によれば、薬剤保持体収納部６に薬剤保持体３を収納して収納用開口部５に蓋体２を取付けることで、その薬剤保持体３は密閉空間８内に収納された状態となる。
よって、商品流通時に揮散性薬剤が自然に気中に放出されることがない。
【００３２】
また、使用時には蓋体２を収納用開口部５から外し、薬剤保持体３を薬剤保持体収納部６から取り出し、その薬剤保持体３を薬剤保持体設置部７に取付けて送風機４を駆動することで薬剤保持体３に空気が流通し、揮散性薬剤を気中に放出できる。
よって、使用時に不用となる部品がなく、部品点数が多くならずに低価格である。
また、蓋体２を外し、薬剤保持体３を取り出し、取付けすれば良く、使用者が簡単に使用可能状態とすることができる。
しかも、家庭内廃棄物が生じないから、家庭内発生廃棄物を減少できる。
【００３３】
使用の途中で中止する場合には、薬剤保持体３を薬剤保持体設置部７から外し、その薬剤保持体３を薬剤保持体収納部６に収納して蓋体２を取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００３４】
請求項２に係る発明によれば、蓋体２とともに薬剤保持体３を収納したり、取り出しでき、使用者が使用可能状態としたり、使用の途中で休止する場合の操作がより一層容易である。
【図面の簡単な説明】
【図１】本発明の第１の実施の形態を示す組立て状態の全体断面図である。
【図２】図１のＡ−Ａ断面図である。
【図３】分解した状態の斜視図である。
【図４】本発明の第２の実施の形態を示す分解した状態の斜視図である。
【図５】本発明の第３の実施の形態を示す分解した状態の斜視図である。
【符号の説明】
１…装置本体、２…蓋体、３…薬剤保持体、４…送風機、５…収納用開口部、６…薬剤保持体収納部、７…薬剤保持体設置部、８…密閉空間、１９…第１通気口、２０…第２通気口、２１…第３通気口、３０…容器、３１…担持体、３２…通気孔、３３…ネット状体。
【図１】
0004123414.tif 000002
【図２】
0004123414.tif 000003
【図３】
0004123414.tif 000004
【図４】
0004123414.tif 000005
【図５】
0004123414.tif 000006